(57)【要約】【課題】対象機器の動作状況を容易に確認でき、かつ、停電時に好適に対応できるリモコンを提供すること。【解決手段】給湯機器を遠隔操作するリモコン１０は、室内の壁面１００に取り付けられる本体部１１と、本体部１１の側面２３〜２６に設けられた発光部３３〜３６とを備えている。発光部３３〜３６は、通常時には給湯機器の動作状況に応じた発光態様で発光し、かつ、停電時にも発光する。これにより、給湯機器の動作状況を容易に確認できるとともに、停電時に好適に対応することができる。【選択図】図１
2016072761.tif 000002
【特許請求の範囲】
【請求項１】
対象機器を遠隔操作するリモコンであって、
室内の壁面に取り付けられる本体部と、
前記本体部の側面に設けられた発光部と、
商用電源から前記対象機器への電力供給が行われている通常時か、商用電源から前記対象機器への電力供給が停止している停電時かを把握する把握部と、
を備え、
前記発光部は、通常時には前記対象機器の動作状況に応じた発光態様で発光し、かつ、停電時に発光することを特徴とするリモコン。
【請求項２】
前記発光部は、通常時には前記対象機器の動作状況に応じた色彩で発光し、停電時には、通常時に用いられる色彩とは異なる色彩で発光する請求項１に記載のリモコン。
【請求項３】
前記発光部の輝度は、通常時よりも停電時の方が低い請求項１又は請求項２に記載のリモコン。
【請求項４】
前記本体部の正面に設けられ、発光表示が行われる表示画面を備え、
停電時には、前記表示画面にて発光表示が行われる請求項１〜３のうちいずれか一項に記載のリモコン。
【請求項５】
前記本体部の正面に設けられ、発光表示が行われる表示画面を備え、
前記表示画面は、停電時には発光表示が行われないように規制されている請求項１〜３のうちいずれか一項に記載のリモコン。
【請求項６】
前記発光部は複数設けられており、
通常時には前記複数の発光部が全て発光する一方、停電時には前記複数の発光部のうち一部のみが発光する請求項１〜５のうちいずれか一項に記載のリモコン。
【発明の詳細な説明】
【技術分野】
【０００１】
本発明は、リモコンに関するものである。
【背景技術】
【０００２】
従来から、台所やリビング、浴室等の室内に取り付けられるものであって、給湯機器などの対象機器を遠隔操作するリモコンが知られている。例えば、特許文献１には、リモコンの周縁の全周又は一部に沿って発光部が設けられており、当該発光部の光の色彩又は明るさが対象機器の動作状況に応じて変化することが記載されている。
【先行技術文献】
【特許文献】
【０００３】
【特許文献１】特開２００８−７８９８３号公報
【発明の概要】
【発明が解決しようとする課題】
【０００４】
ここで、商用電源から対象機器への電力供給が行われない停電時においては、台所やリビング、浴室等に設けられている照明が消えてしまう場合がある。この場合、利用者としては、周囲の確認及び移動等が困難となる可能性がある。
【０００５】
本発明は、上述した事情を鑑みてなされたものであり、その目的は対象機器の動作状況を容易に確認でき、かつ、停電時に好適に対応できるリモコンを提供することである。
【課題を解決するための手段】
【０００６】
上記目的を達成するリモコンは、対象機器を遠隔操作するものであって、室内の壁面に取り付けられる本体部と、前記本体部の側面に設けられた発光部と、商用電源から前記対象機器への電力供給が行われている通常時か、商用電源から前記対象機器への電力供給が停止している停電時かを把握する把握部と、を備え、前記発光部は、通常時には前記対象機器の動作状況に応じた発光態様で発光し、かつ、停電時に発光することを特徴とする。
【０００７】
かかる構成によれば、通常時には、本体部の側面に設けられた発光部の発光態様を確認することにより、リモコンを側方から見る場合であっても対象機器の動作状況を確認することができる。よって、対象機器の動作状況を容易に確認できる。また、発光部は停電時にも発光する。これにより、対象機器の動作状況を確認するための発光部が停電時には非常灯として機能する。よって、停電時に好適に対応できる。
【０００８】
特に、停電時には、本体部の側面に設けられた発光部が発光することにより、リモコンの周囲等が照らされる。これにより、停電時にはリモコンだけでなく、その周囲を好適に確認することができる。
【０００９】
上記リモコンについて、前記発光部は、通常時には前記対象機器の動作状況に応じた色彩で発光し、停電時には、通常時に用いられる色彩とは異なる色彩で発光するとよい。かかる構成によれば、停電時と通常時とで、発光部の色彩が異なっているため、停電時であることを容易に確認できる。
【００１０】
上記リモコンについて、前記発光部の輝度は、通常時よりも停電時の方が低いとよい。かかる構成によれば、通常時よりも停電時の方が発光部の輝度が低くなることにより、発光部の消費電力を低減することができる。これにより、停電時に使用可能な電力量が有限である場合において、発光部の発光時間を長くすることができる。なお、「停電時に使用可能な電力量」とは、例えば対象機器又はリモコンに蓄電装置が設けられている場合には、停電時における蓄電装置の蓄電量である。
【００１１】
上記リモコンについて、前記本体部の正面に設けられ、発光表示が行われる表示画面を備え、停電時には、前記表示画面にて発光表示が行われるとよい。かかる構成によれば、停電時には、発光部による発光と、表示画面における発光表示との双方が行われる。これにより、表示画面を用いた利用者への情報の伝達が可能となる。
【００１２】
上記リモコンについて、前記本体部の正面に設けられ、発光表示が行われる表示画面を備え、前記表示画面は、停電時には発光表示が行われないように規制されているとよい。かかる構成によれば、停電時には表示画面の発光表示が行われないため、その分だけ停電時におけるリモコンの消費電力を低減することができる。これにより、停電時に使用可能な電力量が有限である場合において、発光部の発光時間を長くすることができる。
【００１３】
上記リモコンについて、前記発光部は複数設けられており、通常時には前記複数の発光部が全て発光する一方、停電時には前記複数の発光部のうち一部のみが発光するとよい。かかる構成によれば、停電時においては、複数の発光部のうち一部のみが発光するため、複数の発光部の全てが発光する場合と比較して、リモコンの消費電力を低減することができる。これにより、停電時に使用可能な電力量が有限である場合において、発光部の発光時間を長くすることができる。
【発明の効果】
【００１４】
この発明によれば、対象機器の動作状況を容易に確認でき、かつ、停電時にも好適に対応できる。
【図面の簡単な説明】
【００１５】
【図１】リモコンを模式的に示す分解斜視図。
【図２】リモコンを模式的に示す斜視図。
【図３】リモコン及び給湯機器の電気的構成を示すブロック図。
【図４】リモコンの発光態様を説明するための説明図。
【図５】停電時におけるリモコンの発光態様を示す正面図。
【発明を実施するための形態】
【００１６】
以下、本リモコンの一実施形態について説明する。
図１及び図２に示すように、リモコン１０は、台所やリビング、浴室等の室内の壁面１００に設置されるものである。リモコン１０は、対象機器としての給湯機器１０１（図３参照）を遠隔操作するものである。給湯機器１０１は、例えば自然冷媒ヒートポンプ給湯機（エコキュート（登録商標））である。リモコン１０と給湯機器１０１とによって給湯システムが構成されている。
【００１７】
リモコン１０は、壁面１００に取り付けられる本体部１１を備えている。本体部１１は略直方体形状であり、壁面１００と接触している背面２１と、背面２１とは反対側の正面（前面）２２と、壁面１００と直交する方向に対して平行な４つの側面２３〜２６とを備えている。正面２２及び各側面２３〜２６は、視認可能となっている。
【００１８】
本実施形態のリモコン１０は防水リモコンである。詳細には、本体部１１は、例えば複数（詳細には２つ）のケース構成体を有している。２つのケース構成体は、例えば矩形板状の第１ケース構成体と、一方が開口した有底箱形状の第２ケース構成体とで構成されている。両ケース構成体は、第２ケース構成体の開口の周縁部が第１ケース構成体の周縁部に突き合わされた状態で組み付けられている。そして、両周縁部同士が溶着されている。
【００１９】
本体部１１の正面２２には、発光表示が行われる表示画面３１と操作ボタン３２とが設けられている。表示画面３１は、発光することにより、給湯機器１０１の動作状況や時刻等といった各種情報を表示するものである。詳細には、表示画面３１は、例えばＬＥＤ等のバックライトを有する液晶ディスプレイであったり、有機ＥＬディスプレイであったり任意である。つまり、表示画面３１は、発光素子を有し、その発光素子が発光することにより各種情報を表示できるものであれば任意である。
【００２０】
操作ボタン３２は、給湯機器１０１の動作に対応させて複数設けられている。例えば、操作ボタン３２には、自動での湯張り動作を行うための操作ボタンや、給湯機器１０１に対して、所定量の湯水を予め定められた設定温度まで加熱する沸き増し動作を行うための操作ボタンや、他のリモコンと通話する（インターホン機能を使用する）ための操作ボタン等がある。
【００２１】
図１及び図２に示すように、リモコン１０は、本体部１１の側面２３〜２６に設けられた発光部３３〜３６を備えている。発光部３３〜３６は、例えばＬＥＤで構成されている。発光部３３〜３６は、色彩（発光色）及び輝度（明るさ）を可変に構成されている。なお、発光部３３〜３６の具体的な構成は、ＬＥＤに限られず、任意である。
【００２２】
発光部３３〜３６は、各側面２３〜２６に少なくとも１つ設けられている。詳細には、上側面２３には、所定の間隔を隔てて配列された２つの上発光部３３が設けられている。同様に、下側面２４には、所定の間隔を隔てて配列された２つの下発光部３４が設けられている。また、右側面２５には、右発光部３５が１つ設けられており、左側面２６には、左発光部３６が１つ設けられている。右発光部３５及び左発光部３６は、上側面２３よりも下側面２４寄りに配置されている。発光部３３〜３６は、壁面１００に向けて光を照射するように構成されている。
【００２３】
図１及び図２に示すように、リモコン１０は、本体部１１を覆うカバー部材４１を備えている。カバー部材４１は、有底箱形状であって、本体部１１の正面２２及び側面２３〜２６を覆った状態で、本体部１１に取り付けられている。なお、本体部１１へのカバー部材４１の取付手法は任意であるが、例えば接着などが考えられる。
【００２４】
カバー部材４１における側面２３〜２６を覆う部分である側面カバー部４１ａは、例えば半透明のアクリル樹脂で形成されている。一方、カバー部材４１における正面２２を覆う正面カバー部４１ｂは、透明のアクリル樹脂で形成されている。図１に示すように、正面カバー部４１ｂの内面には、遮光パターン４２が印刷されている。当該遮光パターン４２においては、図１の破線に示すように、表示画面３１に対応する箇所が切り欠かれているとともに、操作ボタン３２に対応する箇所が切り欠かれている。
【００２５】
なお、図１では、図示の都合上、遮光パターン４２における操作ボタン３２に対応する箇所については、全部が切り欠かれているように図示されているが、実際には、枠状に切り欠かれており、その枠内には操作に対応する案内表示（例えばふろ自動等）に対応する切り欠きが形成されている。これにより、後方から光が照射されることにより、枠と案内表示とが発光するように視認される。
【００２６】
次に、給湯機器１０１及びリモコン１０の電気的構成について説明する。
図３に示すように、給湯機器１０１は、湯水を貯める貯湯タンク及び熱交換を行うことにより湯水を加熱するヒートポンプを有する給湯ユニット１０２と、給湯ユニット１０２を制御するメイン制御装置１０３とを備えている。メイン制御装置１０３は、商用電源から電力供給を受けるように構成されている。メイン制御装置１０３は、給湯ユニット１０２に対して電力供給を行うとともに、給湯ユニット１０２に対して各種信号を送信することにより、給湯ユニット１０２を制御する。
【００２７】
ここで、本実施形態では、リモコン１０として、台所やリビングに設置される台所リモコン１０ａと、浴室に設置される浴室リモコン１０ｂとがある。説明の便宜上、台所リモコン１０ａの表示画面３１、操作ボタン３２及び発光部３３〜３６を、台所表示画面３１ａ、台所操作ボタン３２ａ及び台所発光部３３ａ〜３６ａとする。同様に、浴室リモコン１０ｂの表示画面３１、操作ボタン３２及び発光部３３〜３６を、浴室表示画面３１ｂ、浴室操作ボタン３２ｂ及び浴室発光部３３ｂ〜３６ｂとする。
【００２８】
台所リモコン１０ａ及び浴室リモコン１０ｂは、メイン制御装置１０３に対して電気的に接続されている。詳細には、台所リモコン１０ａ及び浴室リモコン１０ｂは、電力線１０４及び信号線１０５を介して、メイン制御装置１０３に接続されている。台所リモコン１０ａ及び浴室リモコン１０ｂは、メイン制御装置１０３から電力供給を受けるとともに、メイン制御装置１０３と各種信号のやり取りを行う。
【００２９】
なお、以下の説明において、両リモコン１０ａ，１０ｂを特に区別する必要がない場合には、両リモコン１０ａ，１０ｂを単にリモコン１０と示す。両発光部３３ａ〜３６ａ，３３ｂ〜３６ｂ等の他の構成についても同様である。
【００３０】
リモコン１０は、当該リモコン１０の各種制御を行う制御部５０を備えている。詳細には、台所リモコン１０ａは、制御部５０として、台所リモコン１０ａの各種制御を行う台所制御部５０ａを備えている。浴室リモコン１０ｂは、制御部５０として、浴室リモコン１０ｂの各種制御を行う浴室制御部５０ｂを備えている。両制御部５０ａ，５０ｂの構成は基本的には同一である。以下の説明において、特に区別する必要がない場合、両制御部５０ａ，５０ｂを単に制御部５０として示す。
【００３１】
制御部５０は、例えば操作ボタン３２が操作された場合、操作された操作ボタン３２に対応した信号を、信号線１０５を介して、メイン制御装置１０３に送信する。メイン制御装置１０３は、上記信号を受信したことに基づいて、上記操作ボタン３２に対応した動作が行われるように給湯ユニット１０２を制御する。また、制御部５０は、表示画面３１の表示制御、及び、発光部３３〜３６の発光制御を行う。
【００３２】
図３に示すように、メイン制御装置１０３は、停電が発生しているか否かの停電監視を行う停電監視部１０３ａを備えている。停電監視部１０３ａは、商用電源から給湯機器１０１（詳細にはメイン制御装置１０３）への電力供給が行われているか否かを判定し、商用電源から給湯機器１０１への電力供給が行われていない場合には停電と判定する。
【００３３】
ここで、以降の説明において、商用電源から給湯機器１０１への電力供給が行われている場合を「通常時」とし、商用電源から給湯機器１０１への電力供給が停止している場合を「停電時」とする。
【００３４】
図３に示すように、メイン制御装置１０３は、蓄電装置１０３ｂを備えている。蓄電装置１０３ｂは、通常時には充電されている。メイン制御装置１０３は、停電監視部１０３ａによって停電が発生していると判定された場合には、蓄電装置１０３ｂの電力を用いて各種動作を行う。なお、蓄電装置１０３ｂの具体的な構成は任意であり、例えば一次電池や二次電池を含む。
【００３５】
ここで、メイン制御装置１０３は、停電時には、停電中であることを示す停電信号をリモコン１０に送信する。制御部５０は、上記停電信号が受信されたことに基づいて停電時であると把握する。すなわち、制御部５０は、メイン制御装置１０３からの停電信号の受信の有無に基づいて通常時か停電時かを把握する。制御部５０が「把握部」に対応する。
【００３６】
また、メイン制御装置１０３は、停電時には、蓄電装置１０３ｂを用いてリモコン１０に対して電力供給を行う。これにより、停電中においても、リモコン１０には電力供給が行われる。
【００３７】
ちなみに、本実施形態では、図３に示すように、リモコン１０は蓄電装置５１を有している。詳細には、台所リモコン１０ａは台所蓄電装置５１ａを有し、浴室リモコン１０ｂは浴室蓄電装置５１ｂを有している。リモコン１０は、停電時には、両蓄電装置５１，１０３ｂに蓄電されている電力で各発光部３３〜３６の発光等といった各種動作を行う。なお、両蓄電装置５１，１０３ｂの蓄電量（容量）が停電時に使用可能な電力量となる。
【００３８】
制御部５０は、通常時においては給湯機器１０１の動作状況に応じた発光態様で発光するように発光部３３〜３６を制御し、かつ、停電時には通常時とは異なる発光態様で発光するように発光部３３〜３６を制御する。制御部５０による発光部３３〜３６の制御の一例について以下に詳細に説明する。なお、通常時における給湯機器１０１の動作状況及び発光部３３〜３６の発光態様は一例であって、これに限定されるものではない。
【００３９】
図４に示すように、制御部５０は、通常時であって給湯機器１０１が湯張り動作中である場合には、複数の発光部３３〜３６の全てがオレンジ色に発光するように各発光部３３〜３６を制御する。
【００４０】
制御部５０は、通常時において他のリモコン（例えば台所リモコン１０ａにとっては浴室リモコン１０ｂ）と通話を行う場合には、複数の発光部３３〜３６の全てが青色に発光するように各発光部３３〜３６を制御する。
【００４１】
制御部５０は、通常時であって給湯機器１０１が沸き増し動作中である場合には、複数の発光部３３〜３６の全てが黄色に発光するように各発光部３３〜３６を制御する。
制御部５０は、通常時であって給湯機器１０１が風呂内の湯水の温度を予め定められた設定温度に維持するように動作する保温動作中である場合には、複数の発光部３３〜３６の全てが白色に発光するように各発光部３３〜３６を制御する。
【００４２】
一方、制御部５０は、停電時には、複数の発光部３３〜３６のうち一部、詳細には上発光部３３及び下発光部３４のみを発光させる。つまり、制御部５０は、停電時には、本体部１１の上側面２３及び下側面２４のみを発光させる。更に、制御部５０は、停電時には、上発光部３３及び下発光部３４を、通常時に用いられる色彩とは異なる色彩（例えば赤色）で発光させる。
【００４３】
また、図４に示すように、制御部５０は、発光対象となっている発光部（詳細には通常時には複数の発光部３３〜３６の全て、停電時には上発光部３３及び下発光部３４）の輝度を、通常時においては給湯機器１０１の動作状況で変化させ、更に通常時と停電時とで変化させる。詳細には、発光対象となっている発光部の輝度は、湯張り動作中→通話中→沸き増し動作中→保温動作中→停電時の順に低くなるように設定されている。すなわち、発光対象の発光部の輝度は、通常時よりも停電時の方が低い。
【００４４】
また、制御部５０は、停電時には、発光部３３〜３６を上記のような停電時用の発光態様で発光させるとともに、表示画面３１にて時刻表示と停電中であることを示す停電表示とを行う。
【００４５】
次に、本実施形態の作用について説明する。
図５に示すように、停電時には、上発光部３３及び下発光部３４が発光する。これにより、リモコン１０の周囲、詳細にはリモコン１０の上方部分及び下方部分が照らされる。また、両発光部３３，３４の色彩は、通常時には用いられない色彩、詳細には赤色である。さらに、表示画面３１には、停電中である旨が発光表示されるとともに、時刻が発光表示される。
【００４６】
以上詳述した本実施形態によれば以下の効果を奏する。
（１）対象機器としての給湯機器１０１を遠隔操作するリモコン１０は、室内の壁面１００に取り付けられる本体部１１と、本体部１１の側面２３〜２６に設けられた発光部３３〜３６とを備えている。また、リモコン１０は、商用電源から給湯機器１０１への電力供給が行われている通常時か、商用電源から給湯機器１０１への電力供給が停止している停電時かを把握する把握部としての制御部５０を備えている。発光部３３〜３６は、通常時には給湯機器１０１の動作状況に応じた発光態様で発光する。これにより、通常時においては、リモコン１０を正面から見る場合だけでなく、側方から見る場合であっても、給湯機器１０１の動作状況を確認できる。これにより、給湯機器１０１の動作状況を容易に確認できる。また、発光部３３〜３６を発光させることにより間接照明として用いることができる。
【００４７】
また、発光部３３〜３６の一部は、停電時にも発光する。これにより、動作状況を確認するための発光部３３〜３６が停電時においては非常灯として機能する。よって、構成の簡素化を図りつつ、停電時に好適に対応できる。
【００４８】
特に、側面２３〜２６に設けられた発光部３３〜３６の一部が発光することにより、リモコン１０の周囲又は上部等が照らされる。これにより、リモコン１０だけでなく、その周囲を視認することができる。よって、停電時において比較的広範囲を確認することができる。
【００４９】
（２）一般的に、浴室においては、停電時に光が入り込みにくい。このため、入浴中に停電が発生すると、浴室内は真っ暗になり易い。これに対して、本実施形態では、上記リモコン１０のひとつは、浴室リモコン１０ｂである。これにより、入浴中に停電となった場合には、浴室リモコン１０ｂの浴室発光部３３ｂ〜３６ｂの一部が発光する。よって、入浴中に停電が発生した場合であっても、ある程度の視認性を確保することができる。したがって、入浴中の停電に好適に対応できる。
【００５０】
（３）発光部３３〜３６は、通常時には給湯機器１０１の動作状況に応じた色彩で発光する。これにより、給湯機器１０１の動作状況を容易に把握することができる。そして、発光部３３〜３６は、停電時には通常時に用いられる色彩（例えばオレンジ色、黄色、白色）とは異なる色彩（例えば赤色）で発光する。これにより、停電であることを明確に把握することができる。
【００５１】
ここで、メイン制御装置１０３は、停電が発生しているか否かの停電監視を行う停電監視部１０３ａを備えており、当該停電監視部１０３ａによって停電が発生したと判定された場合に、停電中であることを示す停電信号をリモコン１０に送信する。リモコン１０の制御部５０は、停電信号を受信したことに基づいて、停電時であると把握する。このため、例えばリビングの照明等が正常に動作しているにも関わらず、発光部３３〜３６が停電時に対応した発光態様で発光した場合、メイン制御装置１０３及びリモコン１０の少なくとも一方に異常が発生している可能性が高い。これにより、リモコン１０及びメイン制御装置１０３の異常判定も行うことが可能となる。
【００５２】
（４）発光部３３〜３６の輝度は、通常時よりも停電時の方が低く設定されている。これにより、リモコン１０の消費電力を低減することができる。よって、停電時の電源である蓄電装置５１，１０３ｂの単位時間あたりの消費量を低減することができ、それを通じて停電時における発光部３３〜３６の発光時間を長くすることができる。
【００５３】
（５）本体部１１の正面には、発光表示が行われる表示画面３１が設けられている。停電時には、発光部３３〜３６の発光に加えて、表示画面３１の発光表示が行われる。これにより、表示画面３１を用いた利用者への情報の伝達が可能となる。
【００５４】
（６）発光部３３〜３６は複数設けられており、通常時には複数の発光部３３〜３６が全て発光する一方、停電時には複数の発光部３３〜３６のうち一部（例えば上発光部３３及び下発光部３４）のみが発光する。これにより、停電時におけるリモコン１０の消費電力の低減を図ることができる。よって、蓄電装置５１，１０３ｂの単位時間あたりの消費量を低減することができ、停電時における上発光部３３及び下発光部３４の発光時間を長くすることができる。特に、停電時には下発光部３４が発光する。これにより、利用者の足元が照らされることとなるため、利用者の移動を好適に補助することができる。
【００５５】
（７）リモコン１０は、本体部１１の正面２２及び側面２３〜２６を覆うカバー部材４１を備えている。カバー部材４１における側面２３〜２６を覆う側面カバー部４１ａは半透明である。これにより、発光部３３〜３６等の構造が直接視認されることを抑制しつつ、発光部３３〜３６による光を視認させることができる。また、発光部３３〜３６の光が側面カバー部４１ａによって散乱又は拡散されることにより、柔らかなイメージを利用者に与えることができる。
【００５６】
また、カバー部材４１は、本体部１１の正面２２を覆う正面カバー部４１ｂを備えており、当該正面カバー部４１ｂは透明である。これにより、表示画面３１の視認性を確保できる。
【００５７】
なお、上記実施形態は以下のように変更してもよい。
○  実施形態では、停電時には、表示画面３１において発光表示が行われていたが、これに限られない。例えば、制御部５０は、停電時には、表示画面３１の発光表示が行われないように規制してもよい。これにより、停電時における蓄電装置５１，１０３ｂの単位時間あたりの消費量を低減することができるため、停電時における発光部３３〜３６（詳細には上発光部３３及び下発光部３４）の発光時間を、より長くすることができる。
【００５８】
○  実施形態では、本体部１１の全ての側面２３〜２６に発光部３３〜３６が設けられていたが、これに限られず、４つの側面２３〜２６のうち一部の側面に発光部が設けられていてもよい。また、本体部１１の側面２３〜２６に設けられる発光部の数は任意であり、例えば本体部１１の各側面２３〜２６のうち１つの側面のみに、発光部が１つ設けられていてもよい。
【００５９】
○  発光態様としては、色彩、輝度及び発光対象に限られない。例えば、発光態様として、点滅パターンを採用してもよい。この場合、制御部５０は、給湯機器１０１の動作状況に応じた点滅パターンで発光部３３〜３６を発光させてもよい。また、制御部５０は、停電時に上発光部３３及び下発光部３４を点滅発光させてもよい。この場合、常時発光する構成と比較して、発光時間を長くすることができる。つまり、停電時における発光対象の発光部は、常時発光してもよいし、点滅発光してもよい。
【００６０】
○  本体部１１の具体的な形状は、直方体形状に限られず任意であり、例えば楕円柱形状であってもよい。
○  発光部３３〜３６の色彩、輝度及び設置位置等は、実施形態のものに限られず、任意である。例えば、発光対象の発光部の輝度は、停電時の方が通常時よりも高くてもよいし、通常時と停電時とで同一であってもよい。また、発光部３３〜３６の輝度は、実施形態の態様に限られず適宜設定できるものであり、例えば通常時において給湯機器１０１の動作状況に関わらず同一であってもよい。
【００６１】
○  停電時の発光対象は任意であり、例えば全ての発光部３３〜３６が発光対象であってもよいし、複数の発光部３３〜３６の一部のみが発光対象であってもよい。
○  カバー部材４１を省略してもよい。
【００６２】
○  発光部３３〜３６は、予め定められた時間帯に、給湯機器１０１が何も動作していない場合であっても発光してもよい。
○  リモコン１０は、台所リモコン１０ａや浴室リモコン１０ｂの他に別途設けられたサブリモコンであってもよい。
【００６３】
○  リモコン１０が商用電源から電力供給を受ける構成であってもよい。この場合、リモコン１０が停電監視部１０３ａを有していてもよい。
○  給湯機器１０１は、ガスエンジンや燃料電池などで発電を行い、その際に発生する排熱を利用して水を加熱するコージェネレーションタイプのものであってもよい。
【００６４】
○  対象機器は、給湯機器１０１に限られず、任意である。例えば対象機器として太陽光発電機器を採用してもよい。また、対象機器は玄関に設けられる玄関子機であってもよい。この場合、リモコンは室内に設置されるインターホン親機である。また、対象機器は、床暖房機器であってもよいし、浴室換気乾燥機であってもよい。
【００６５】
○  両蓄電装置５１，１０３ｂのいずれか一方を省略してもよい。例えばメイン制御装置１０３の蓄電装置１０３ｂを省略してもよい。この場合、制御部５０は、メイン制御装置１０３からの電力供給の有無に基づいて、通常時か停電時かを把握するとよい。また、例えばリモコン１０の蓄電装置５１を省略してもよい。この場合、リモコン１０の小型化を図ることができる。
【００６６】
○  メイン制御装置１０３が発光部３３〜３６の発光制御を行ってもよい。
○  台所リモコン１０ａと浴室リモコン１０ｂとは同一の構成であったが、異なっていてもよい。例えば、浴室リモコン１０ｂにおける右浴室発光部３５ｂ及び左浴室発光部３６ｂを省略してもよい。
【００６７】
○  台所発光部３３ａ〜３６ａと浴室発光部３３ｂ〜３６ｂとで、同一の動作状況に対する発光態様が異なっていてもよい。さらに、停電時においては、台所発光部３３ａ〜３６ａと浴室発光部３３ｂ〜３６ｂとのいずれか一方のみが発光する構成であってもよい。これにより、台所発光部３３ａ〜３６ａと浴室発光部３３ｂ〜３６ｂとの双方が発光する構成と比較して、消費電力の更なる低減を図ることができる。
【００６８】
○  実施形態では、台所リモコン１０ａと浴室リモコン１０ｂとの双方に発光部が設けられていたが、これに限られず、いずれか一方のみに発光部が設けられている構成であってもよい。
【００６９】
次に、上記実施形態及び別例から把握できる好適な一例について以下に記載する。
（イ）停電時に前記発光部に電力供給を行う蓄電装置を備えている請求項１〜６のうちいずれか一項に記載のリモコン。
【００７０】
（ロ）前記リモコンは、停電時に前記リモコンに対して電力供給を行う蓄電装置を有する前記対象機器を遠隔操作する請求項１〜６及び（イ）のうちいずれか一項に記載のリモコン。
【符号の説明】
【００７１】
１０…リモコン、１１…本体部、２２…本体部の正面、２３〜２６…本体部の側面、３１…表示画面、３３〜３６…発光部、５０…制御部、１００…壁面、１０１…給湯機器。
【図１】
2016072761.tif 000003
【図２】
2016072761.tif 000004
【図３】
2016072761.tif 000005
【図４】
2016072761.tif 000006
【図５】
2016072761.tif 000007